(57)【要約】【課題】簡便な作業により原稿に記載された一部の画像の表示形式を変更することができる画像形成装置を提供すること。【解決手段】記号検出部６１は原稿に記載された表示形式指定記号及び文字特定記号を検出し、文字特定部６２は検出された文字特定記号に従って変更対象文字を特定し、表示形式変更部６３は、変更対象文字の表示形式を検出された表示形式指定記号が示す表示形式に変更する画像処理を実行する。【選択図】図２
2007142642.tif 000002
【特許請求の範囲】
【請求項１】
原稿を読み取り原稿の画像データを取得する画像データ取得手段と、
前記画像データ取得手段により取得された画像データから、前記原稿に記載された文字のうち表示形式の変更対象となる文字を変更対象文字として特定するための文字特定記号を検出すると共に、前記変更対象文字の表示形式を指定するための表示形式変更記号を検出する記号検出手段と、
前記記号検出手段により検出された文字特定記号が記載された位置から一定範囲内に存在する文字を前記変更対象文字として特定する文字特定手段と、
前記変更対象文字の表示形式が、前記記号検出手段により検出された表示形式指定記号が指定する表示形式に変更されるように、前記画像データに画像処理を実行する表示形式変更手段と、
前記表示形式変更手段により画像処理が実行された画像データを出力する出力手段とを備えることを特徴とする画像形成装置。
【請求項２】
前記表示形式指定記号は、前記変更対象文字の拡大率、縮小率、及び色のうち少なくともいずれか１つを指定する記号であることを特徴とする請求項１記載の画像形成装置。
【請求項３】
前記文字特定記号は、前記変更対象文字に対して重ねて記載される矩形状の矩形記号又は前記変更対象文字の近傍に記載されるライン状のライン記号であり、
前記文字特定手段は、前記矩形記号と重なる文字、又は前記ライン記号の近傍に位置する文字を前記変更対象文字として特定することを特徴とする請求項２記載の画像形成装置。
【請求項４】
前記表示形式指定記号は、原稿の所定の領域に記載されるものであり、
前記記号検出手段は、前記所定の領域に前記表示形式指定記号が記載されているか否かにより前記表示形式指定記号を検出することを特徴とする請求項１〜３のいずれかに記載の画像形成装置。
【発明の詳細な説明】
【技術分野】
【０００１】
本発明は、画像形成装置に関するものである。
【背景技術】
【０００２】
特許文献１には、複数枚の原稿について、各々複写したい一部の画像領域をマーカーで囲みマーク領域とし、このマーク領域に自己を特定するための記号を付す。また、これらのマーク領域の画像を１枚にまとめて合成出力させるための複数のレイアウト領域が記載された出力レイアウト原稿を用意する。ここで、出力レイアウト原稿のレイアウト領域内には、各マーク領域との対応付けをおこなう記号が付されている。そして、マーク領域が表された複数枚の原稿と出力レイアウト原稿とをスキャナで読み取り、読み取った複数枚の原稿を出力レイアウト原稿内の対応する記号が付された箇所に集約して印刷させるような画像処理を実行するデジタル複写機が開示されている。
【特許文献１】特開平５−２９２２９４号公報
【発明の開示】
【発明が解決しようとする課題】
【０００３】
しかしながら、特許文献１に示すデジタル複合機は、原稿に記された記号を用いて複数枚の原稿を集約印刷することは可能であるが、原稿に記された記号を用いて原稿内の一部の文字を拡大させたり縮小させたりすることができない。
【０００４】
本発明の目的は、簡便な作業により原稿に記載された一部の文字の表示形式を変更することができる画像形成装置を提供することである。
【課題を解決するための手段】
【０００５】
本発明による画像形成装置は、原稿を読み取り原稿の画像データを取得する画像データ取得手段と、前記画像データ取得手段により取得された画像データから、前記原稿に記載された文字のうち表示形式の変更対象となる文字を変更対象文字として特定するための文字特定記号を検出すると共に、前記変更対象文字の表示形式を指定するための表示形式変更記号を検出する記号検出手段と、前記記号検出手段により検出された文字特定記号が記載された位置から一定範囲内に存在する文字を前記変更対象文字として特定する文字特定手段と、前記変更対象文字の表示形式が、前記記号検出手段により検出された表示形式指定記号が指定する表示形式に変更されるように、前記画像データに画像処理を実行する表示形式変更手段と、前記表示形式変更手段により画像処理が実行された画像データを出力する出力手段とを備えることを特徴とする。
【０００６】
この構成によれば、画像データ取得手段は、原稿を読み取り原稿の画像データを取得する。記号検出手段は、画像データ取得手段により取得された画像データから、原稿に記載された文字特定記号と表示形式指定記号を検出する。ここで、文字特定記号は、原稿に記載された画像の中から表示形式の変更対象となる変更対象文字を特定するための記号である。また、表示形式指定記号は、変更対象文字の表示形式を指定するための記号である。
【０００７】
そして、文字特定手段は、文字特定記号が記載された位置から一定範囲内に存在する文字を変更対象文字として特定し、表示形式変更手段は、表示形式指定記号が示す表示形式に変更対象文字の表示形式が変更されるように画像データに対して画像処理を実行し、出力手段は、画像処理が実行された画像データを記録紙等に出力する。
【０００８】
従って、ユーザは原稿に対して表示形式指定記号を記載すると共に、表示形式を変更したい文字の存在する箇所に文字特定記号を記載するという簡便な作業を行うだけで、原稿に記載された文字のうち、所望する一部の文字の表示形式を所望の表示形式に変更することができる。
【０００９】
また、上記構成において、前記表示形式指定記号は、前記変更対象文字の拡大率、縮小率、及び色のうち少なくともいずれか１つを指定する記号であることが好ましい。
【００１０】
この構成によれば、原稿に表示形式指定記号を記載するだけで、変更対象文字を拡大したり、縮小したり、色を変更したりすることができる。
【００１１】
また、上記構成において、前記文字特定記号は、前記変更対象文字に対して重ねて記載される矩形状の矩形記号又は前記変更対象文字の近傍に記載されるライン状のライン記号であり、前記文字特定手段は、前記矩形記号と重なる文字、又は前記ライン記号の近傍に位置する文字を前記変更対象文字として特定することが好ましい。
【００１２】
この構成によれば、表示形式を変更したい文字に対して矩形記号を重ねて記載する、又は表示形式を変更したい文字の近傍にライン記号を記載することで変更対象文字を特定することができる。
【００１３】
また、上記構成において、前記表示形式指定記号は、原稿の所定の領域に記載されるものであり、前記記号検出手段は、前記所定の領域に前記表示形式指定記号が記載されているか否かにより前記表示形式指定記号を検出することが好ましい。
【００１４】
この構成によれば、記号検出手段は所定の領域に表示形式指定記号が記載されているか否かにより処理対象記号を検出しているため、表示形式指定記号の検索範囲が狭まり検出処理の高速化を図ることができる。
【発明の効果】
【００１５】
本発明によれば、簡便な作業により原稿に記載された一部の文字の表示形式を変更することができる。
【発明を実施するための最良の形態】
【００１６】
以下、図面を参照しつつ本発明の実施の形態について説明する。図１は、本発明の実施の形態による画像形成装置の機械的構成を主に示す側面概略図である。本画像形成装置は、本体部２００と、本体部２００の左側に配設された用紙後処理部３００と、ユーザが種々の操作指令等を入力するための操作部４００と、本体部２００の上部に配設された原稿読取部５００と、原稿読取部５００の上方に配設された原稿給送部６００とから構成される。
【００１７】
操作部４００は、操作パネル４０１、スタートキー４０２及びテンキー４０３等を備える。操作パネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００１８】
原稿給送部６００は、原稿載置部６０１、原稿排出部６０２、給紙ローラ６０３及び原稿搬送部６０４、及びコンタクトガラス６０５等を備え、原稿読取部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。
【００１９】
スキャナ５０１は搬送される原稿を順次読取り、読取られた原稿は原稿排出部６０２に排出される。また、スキャナ５０１は、コンタクトガラス６０５に載置された原稿を読取る場合は、Ａ方向にスライドして原稿を読取る。
【００２０】
本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、排出トレイ２１０、及び記録紙搬送部２１１等を備える。
【００２１】
感光体ドラム２０５は、矢印方向に回転しながら帯電装置（図示省略）によって一様に帯電される。露光装置２０６は、原稿読取部５００において読取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー像を形成する。
【００２２】
中間転写体ローラ２０４は、感光体ドラム２０５から各色のトナー像が転写され、中間転写体ローラ２０４上にカラーのトナー像を形成する。
【００２３】
一方、給紙ローラ２０２は、記録紙が収納された給紙カセット２０１から記録紙を引き出し、記録紙搬送部２１１は、引き出された記録紙を転写ローラ２０３へと搬送する。転写ローラ２０３は、搬送された記録紙に中間転写体ローラ２０４上のトナー像を転写させる。トナー像が転写された記録紙は、記録紙搬送部２１１により定着ローラ２０８へと搬送され、定着ローラ２０８は、転写されたトナー像を加熱して記録紙に定着させる。その後、記録紙は、記録紙搬送部２１１により排出口２０９へと搬送され用紙後処理部３００に搬入される。また、記録紙は、必要に応じて排出トレイ２１０へも排出される。
【００２４】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２５】
図２は、図１に示す画像形成装置の電気的構成を示すブロック図である。本画像形成装置は、原稿読取部１０、画像メモリ２０、操作表示部３０、印刷部４０、通信インターフェイス（Ｉ／Ｆ）部５０、画像処理部６０、及び制御部７０を備えている。
【００２６】
原稿読取部１０は、図１に示す原稿読取部５００から構成され、コピー対象となる原稿の画像データを取得して画像メモリ２０に記憶させる。画像メモリ２０は、ハードディスク等の外部記憶装置から構成され、コピー対象となる原稿の画像データを記憶する。
【００２７】
操作表示部３０は、図１に示す操作部４００から構成される。印刷部４０は、図１に示す転写ローラ２０３、中間転写体ローラ２０４、感光体ドラム２０５、露光装置２０６、現像装置２０７Ｙ〜２０７Ｋ等から構成され、コピー対象となる原稿の画像データを記録紙に印刷する。
【００２８】
通信Ｉ／Ｆ部５０は、ＬＡＮボード等から構成され、制御部７０の制御の下、ＬＡＮを介してパーソナルコンピュータ（ＰＣ）１００から送信される画像データを受信すると共に、原稿読取部１０により読み取られた原稿の画像データをＬＡＮを介してＰＣ１００に出力する。
【００２９】
画像処理部６０は、ＡＳＩＣ等から構成され、記号検出部６１、文字特定部６２、表示形式変更部６３、及びテンプレート記憶部６４を備え、原稿読取部１０により取得された画像データを画像メモリ２０から読み出し、後述する画像処理を施し、制御部７０の制御の下、印刷部４０又は通信Ｉ／Ｆ部５０に出力する。
【００３０】
テンプレート記憶部６４は、文字特定記号を検出する際に使用される文字特定テンプレートの画像データと表示形式指定記号を検出する際に使用される表示形式テンプレートの画像データとを記憶している。
【００３１】
ここで、文字特定記号は、原稿に記載された文字の中から表示形式の変更対象となる１又は複数の文字（変更対象文字）を特定するための記号である。文字特定記号としては、アンダーライン（ライン記号）からなる文字特定記号Ｋ１１と、矩形記号からなる文字特定記号Ｋ１２とを採用することができる。アンダーラインは、変更対象文字の下部に描かれた直線状の画像である。矩形記号は、蛍光ペンをスライドすることで文字と重なるように描かれたマーキングや、ワードプロセッサソフトウェアが備える網掛け機能を利用して、特定の文字を囲むようにして描かれた網掛け等を含む。
【００３２】
従って、テンプレート記憶部６４は、アンダーラインからなる文字特定記号Ｋ１１の画像データを文字特定テンプレートＴ１１として記憶すると共に、矩形記号からなる文字特定記号Ｋ１２の画像データを文字特定テンプレートＴ１２として記憶している。
【００３３】
表示形式指定記号は、変更対象文字の表示形式を指定するための記号である。本実施の形態では、表示形式指定記号として３種類の表示形式指定記号Ｋ２１〜Ｋ２３が採用されている。
【００３４】
表示形式指定記号Ｋ２１は、変更対象文字の拡大率を所定の値（例えば１２０％）に指定する記号である。表示形式指定記号Ｋ２２は、変更対象文字の縮小率を所定の値（例えば８０％）に指定する記号である。表示形式指定記号Ｋ２３は、文字の色を所定の色（例えば赤色）に指定する記号である。
【００３５】
従って、テンプレート記憶部６４は、表示形式指定記号Ｋ２１〜Ｋ２３の各々の画像データを表示形式テンプレートＴ２１〜Ｔ２３として記憶している。なお、表示形式指定記号の種類は上記３種類に限定されず、２種類以下、又は４種類以上としてもよい。この場合、表示形式指定記号の種類に応じた表示形式テンプレートをテンプレート記憶部６４に記憶させればよい。また、表示形式指定記号が指定する表示形式も上述したものに限定されず、変更対象文字の拡大率を所定の値に指定すると共に変更対象文字の色を所定の色に指定する記号であってもよい。
【００３６】
なお、表示形式指定記号Ｋ２１〜Ｋ２３の各々を原稿に記載するための印鑑が用意されており、ユーザはこの印鑑を原稿に押印することで表示形式指定記号Ｋ２１〜Ｋ２３を記載する。
【００３７】
記号検出部６１は、原稿読取部１０により取得された画像データに対し、文字特定テンプレートＴ１１，Ｔ１２を用いた公知のテンプレートマッチングを順次実行し、原稿に記載された文字特定記号を検出する。また、記号検出部６１は、原稿読取部１０により取得された画像データにおいて、表示形式特定記号が記載されることが定められている所定の領域に対し、表示形式テンプレートＴ２１〜Ｔ２３を用いた公知のテンプレートマッチングを順次実行し、原稿に記載された表示形式指定記号を検出する。
【００３８】
文字特定部６２は、記号検出部６１により検出された文字特定記号Ｋ１１，Ｋ１２に対して一定範囲内にある１又は複数の文字を変更対象文字として特定する。具体的には、文字特定部６２は、変更特定記号としてアンダーラインが採用されている場合は、アンダーラインを一辺とする所定の矩形状の領域を画像データに設定し、この領域に対して公知の文字抽出処理を実行することで、アンダーラインの始点から終点に沿って存在する１又は複数の文字を変更対象文字として特定する。
【００３９】
また、文字特定部６２は、変更特定記号として矩形記号が用いられる場合は、矩形記号を含み、当該矩形記号よりも大きい所定の矩形状の領域を画像データに設定し、設定した領域に対して公知の文字抽出処理を実行することで、変更対象文字を特定する。
【００４０】
表示形式変更部６３は、文字特定部６２が特定した変更対象文字を、記号検出部６１により検出された表示形式特定記号Ｋ２１〜Ｋ２３が指定する表示形式に変更するための画像処理を画像データに対して実行する。
【００４１】
制御部７０は、ＣＰＵ、書き換え可能な不揮発性のメモリ、ＲＡＭ等を備え、本画像形成装置の全体制御を司る。特に、本実施の形態では、制御部７０は、本画像形成装置を特殊読み込みモードに設定するための操作指令が操作表示部３０で受け付けられたとき、本画像形成装置を特殊読み込みモードに設定し、特殊読み込みモード解除する操作指令が操作表示部３０で受け付けられたとき、本画像形成装置を通常動作モードに設定する。
【００４２】
ここで、特殊読み込みモードとは、記号検出部６１が画像データから文字特定記号Ｋ１１，Ｋ１２と表示形式指定記号Ｋ２１〜Ｋ２３とを検出し、文字特定部６２が原稿の画像データから変更対象文字を特定し、表示形式変更部６３が、表示形式指定記号に従って変更対象文字の表示形式を変更する画像処理を実行するモードを示し、通常印刷モードとは、読み取られた原稿の画像データに対して、記号検出部６１、文字特定部６２、及び表示形式変更部６３が上記処理を実行することなく、印刷部４０又は通信Ｉ／Ｆ部５０に画像データを出力するモードを示す。
【００４３】
ＰＣ１００は、ＬＡＮ通信機能を備える公知のパーソナルコンピュータから構成され、印刷対象となる画像データを通信Ｉ／Ｆ部５０に送信したり、画像形成装置から出力される画像データを受信したりする。
【００４４】
次に、本画像形成装置の動作について、図３のフローチャートを用いて説明する。まず、ステップＳ１において、操作表示部３０がユーザから特殊読み込みモードに設定するための操作指令を受け付けると（Ｓ１でＹＥＳ）、制御部７０は、本画像形成装置を特殊読み込みモードに設定する（Ｓ２）。一方、ステップＳ１において、操作表示部３０がユーザから特殊読み込みモードに設定するための操作指令を受け付けない場合（Ｓ１でＮＯ）、処理がステップＳ１に戻される。
【００４５】
図４は、ユーザが特殊読み込みモードを設定する際に操作表示部３０に表示される操作画面を示す図である。図４に示す操作画面には、本画像形成装置をコピーモードに設定するためのコピーボタンＢ１、スキャナモードに設定するためのスキャナボタンＢ２、及びＦＡＸモードに設定するためのＦＡＸボタンＢ３が表示されている。ＦＡＸボタンＢ３の下側には、本画像形成装置を特殊読み込みモードに設定するための特殊読み込みボタンＢ４が表示されている。なお、制御部７０は、本画像形成装置をコピーモード、スキャナモード、及びＦＡＸモードのいずれのモードに設定している場合であっても、本画像形成装置を特殊読み込みモードに設定することができる。
【００４６】
操作表示部３０は、本画像形成装置が特殊読み込みモードに設定されている場合は、特殊読み込みボタンＢ４の枠内に「ＯＮ」と表示し、特殊読み込みモードに設定されていない場合は、特殊読み込みボタンＢ４の枠内に「ＯＦＦ」と表示し、特殊読み込みモードの設定の有無をユーザが一目で分かるようにしている。
【００４７】
ＦＡＸボタンＢ３の右側には倍率ボタンＢ７が表示され、ユーザはこの倍率ボタンＢ７を押すことで、原稿の倍率を設定する。なお、倍率ボタンＢ７の上側には現在設定されている倍率を表示する倍率表示エリアＢ５が設けられている。倍率ボタンＢ７の右側には、Ａ４、Ｂ５等の記録紙のサイズを指定するための用紙選択ボタンＢ８が表示されている。用紙選択ボタンＢ８の下側には、画像読み取り時の解像度を通常の解像度又は高解像度に設定するための文字／写真ボタンＢ９が表示されている。
【００４８】
図３に示すステップＳ３において、原稿読取部１０は、原稿載置部６０１に載置された１枚の原稿又はコンタクトガラス６０５に載置された原稿を読み取り原稿の画像データを取得し、画像メモリ２０に記憶する。
【００４９】
図５は、原稿読取部１０が読み取る原稿の一例を示した図である。図５に示す原稿の右側に記載された四角形の枠とその枠内に表示された変１とは、表示形式指定記号Ｋ２１を表し、「Ｘ」はアルファベット、ひらがな、カタカナ、漢字等の１つの文字を表し、「Ｘ」の下に引かれたアンダーラインは、文字特定記号Ｋ１１を表している。
【００５０】
図６（ａ）は表示形式指定記号Ｋ２２〜Ｋ２３の一例を示し、（ｂ）は文字特定記号Ｋ１２の一例を示す図である。（ａ）に示すように表示形式指定記号Ｋ２２は、表示形式指定記号Ｋ２１の枠内の文字を変１から変２に変えたものであり、表示形式指定記号Ｋ２３は、表示形式指定記号Ｋ２１の枠内の文字を変１から変３に変えたものである。
【００５１】
なお、（ａ）に示す表示形式指定記号は一例にすぎず、表示形式指定記号Ｋ２１〜Ｋ２３を識別することができる記号であれば、どのような記号を採用してもよい。
【００５２】
（ｂ）の左側に示す４つの文字を取り囲むように記載された網掛け画像又は（ｂ）の右側に示す４つの文字に重なるように記載されたマーキング画像が、文字特定記号Ｋ１２である。
【００５３】
ステップＳ４において、記号検出部６１は、画像メモリ２０から原稿の画像データを読み出し、読み出した画像データに対して、文字特定テンプレートＴ１１，Ｔ１２を用いたテンプレートマッチングを順次実行すると共に、表示形式テンプレートＴ２１〜Ｔ２３を用いたテンプレートマッチングを順次実行する。そして、記号検出部６１は、原稿に記載された文字特定記号Ｋ１１，Ｋ１２のいずれかを検出すると共に、表示形式指定記号Ｋ２１〜Ｋ２３のいずれかを検出した場合（Ｓ４でＹＥＳ）、処理をステップＳ５に進め、文字特定記号Ｋ１１，Ｋ１２のいずれも検出しない、又は表示形式指定記号Ｋ２１〜Ｋ２３のいずれも検出しない場合（Ｓ４でＮＯ）、処理を終了する。
【００５４】
この場合、記号検出部６１は、図５に示す原稿の３箇所に記載された文字特定記号Ｋ１１を検出すると共に、原稿の右上に記載された表示形式指定記号Ｋ２１を検出する。なお、表示形式指定記号Ｋ２１〜Ｋ２３は原稿の右上に記載されるように予め定められているため、記号検出部６１は、原稿の右上の表示形式指定記号Ｋ２１〜Ｋ２３よりも大きな所定の領域Ｒ１にのみ表示形式テンプレートＴ２１〜Ｔ２３を用いたテンプレートマッチングを実行することで、表示形式指定記号Ｋ２１〜Ｋ２３を検出することができる。これにより、テンプレートマッチングの高速化が図られている。
【００５５】
図３に示すステップＳ５において、文字特定部６２は、ステップＳ４で検出された文字特定記号に従って、変更対象文字を特定する。この場合、図５に示す文字特定記号Ｋ１１の真上に記載された文字が変更対象文字として特定される。
【００５６】
図３に示すステップＳ６において、ステップＳ５で特定された変更対象文字の表示形式を、ステップＳ４で検出された表示形式指定記号が指定する表示形式に変更する画像処理を実行する。
【００５７】
この場合、表示形式変更部６３は、ステップＳ４で表示形式指定記号Ｋ２１が検出された場合は、図５に示す変更対象文字Ｗ１〜Ｗ３を表示形式指定記号Ｋ２１が指定する所定の拡大率で拡大し、且つ、拡大した文字が周囲の文字と重ならないような画像処理を原稿の画像データに対して実行する。
【００５８】
図７は、表示形式指定記号Ｋ２１が記載された原稿が読み取られた場合に表示形式変更部６３から出力される画像データが表す画像を示す図である。図７に示すように、変更対象文字Ｗ１〜Ｗ３はそれぞれ表示形式指定記号Ｋ２１が示す拡大率によって拡大されている。そして、拡大された変更対象文字Ｗ１〜Ｗ３が周囲の文字と重ならないように画像処理が施されていることが分かる。
【００５９】
また、表示形式変更部６３は、ステップＳ４で表示形式指定記号Ｋ２２が検出された場合は、図５に示す変更対象文字Ｗ１〜Ｗ３を表示形式指定記号Ｋ２２が指定する所定の縮小率で縮小し、かつ、縮小した変更対象文字Ｗ１〜Ｗ３の文字の間隔と周囲の文字との間隔との差が所定の大きさ以下となるような画像処理を原稿の画像データに対して実行する。
【００６０】
図８は、表示形式指定記号Ｋ２２が記載された原稿が読み取られた場合に表示形式変更部６３から出力される画像データが表す画像を示す図である。図８に示すように、変更対象文字Ｗ１〜Ｗ３は、それぞれ表示形式指定記号Ｋ２２が示す縮小率によって縮小されていることが分かる。そして、縮小された変更対象文字Ｗ１〜Ｗ３と周囲の文字との間隔との差が所定の間隔以下となるように画像処理が施されていることが分かる。
【００６１】
また、表示形式変更部６３は、ステップＳ４で表示形式指定記号Ｋ２３が検出された場合は、図５に示す変更対象文字Ｗ１〜Ｗ３を表示形式指定記号Ｋ２３が指定する所定の色で表示するような画像処理を原稿の画像データに対して実行する。
【００６２】
図９は、表示形式指定記号Ｋ２３が記載された原稿が読み取られた場合に表示形式変更部６３から出力される画像データが表す画像を示す図である。図９に示すように、変更対象文字Ｗ１〜Ｗ３は、それぞれ表示形式指定記号Ｋ２３が示す色によって表されていることが分かる。
【００６３】
図３に示すステップＳ７において、表示形式変更部６３は、制御部７０の制御の下、表示形式を変更する画像処理が施された原稿の画像データを印刷部４０又は通信Ｉ／Ｆ部５０に出力する。ここで、印刷部４０は、表示形式変更部６３から画像データを受信した場合、画像データを記録紙に印刷する。また、通信Ｉ／Ｆ部５０は、表示形式変更部６３から画像データを受信した場合、ＰＣ１００に受信した画像データを送信する。
【００６４】
以上説明したように本画像形成装置によれば、記号検出部６１は原稿に記載された表示形式指定記号Ｋ２１〜Ｋ２３及び文字特定記号Ｋ１１，Ｋ１２を検出し、文字特定部６２は検出された文字特定記号Ｋ１１，Ｋ１２に従って変更対象文字を特定し、表示形式変更部６３は、変更対象文字の表示形式を検出された表示形式指定記号Ｋ２１〜Ｋ２３が示す表示形式に変更する画像処理を実行する。そのため、ユーザは読み取り対象となる原稿において、表示形式を変更したい文字に対してアンダーラインを引く、又は矩形状のマーキングを行うと共に、表示形式指定記号Ｋ２１〜Ｋ２３を記載するという簡便な作業を行うだけで、変更対象文字の表示形式を所望する表示形式に変更することができる。
【図面の簡単な説明】
【００６５】
【図１】本発明の実施の形態による画像形成装置の機械的構成を主に示す側面概略図である。
【図２】図１に示す画像形成装置の電気的構成を示すブロック図である。
【図３】本画像形成装置の動作を示すフローチャートである。
【図４】ユーザが特殊読み込みモードを設定する際に操作表示部に表示される操作画面を示す図である。
【図５】原稿読取部が読み取る原稿の一例を示した図である。
【図６】（ａ）は表示形式指定記号の一例を示し、（ｂ）は文字特定記号の一例を示す図である。
【図７】表示形式変更部から出力される画像データが表す画像を示す図である。
【図８】表示形式変更部から出力される画像データが表す画像を示す図である。
【図９】表示形式変更部から出力される画像データが表す画像を示す図である。
【符号の説明】
【００６６】
１０  原稿読取部
２０  画像メモリ
３０  操作表示部
４０  印刷部
５０  通信インターフェイス部
６０  画像処理部
６１  記号検出部
６２  文字特定部
６３  表示形式変更部
６４  テンプレート記憶部
７０  制御部
Ｋ１１，Ｋ１２  文字特定記号
Ｋ２１〜Ｋ２３  表示形式指定記号
Ｔ１１，Ｔ１２  文字特定テンプレート
Ｔ２１〜Ｔ２３  表示形式テンプレート
Ｗ１〜Ｗ３変更対象文字
【図１】
2007142642.tif 000003
【図２】
2007142642.tif 000004
【図３】
2007142642.tif 000005
【図４】
2007142642.tif 000006
【図５】
2007142642.tif 000007
【図６】
2007142642.tif 000008
【図７】
2007142642.tif 000009
【図８】
2007142642.tif 000010
【図９】
2007142642.tif 000011